(57)【要約】      （修正有）【課題】グリップの目印を体の真正面にして構えた時にフェースが体の真横を向くようグリップを装着すること。グリップの目印を体の真正面にして構えた時にフェースが体の真横を向くようグリップが装着されているかを検査すること。【解決手段】スコアラインの中に垂直基準体２７の鋭角になっている基準縁を係合させるかフェースに台形になっている基準縁を接触させることにより、第一にグリップ４の目印５を体の真正面にして構えた時にフェースが体の真横を向くようグリップ４を装着することができる。第二に、グリップ４の目印５を体の真正面にして構えた時にフェースが体の真横を向くようグリップ４が装着されているかを検査することができる。【選択図】図４
2011182856.tif 000002
【特許請求の範囲】
【請求項１】
基準面を有する基台と、前記基台の上面にゴルフクラブのシャフトを支持するためのＶ型の凹部を持つ支持台と、シャフトががたつくことなく回転することも、固定することもできるクランパーと、支持台のＶ型の凹部の中心とシャフトの中心線を含む基台との仮想鉛直面とグリップの目印とが合致する位置にグリップをシャフトに装着するよう案内するためにクランパーに併設された上部目印と、リーディングエッジが仮想鉛直面に対して平行になる位置を検出するための垂直基準体とからなり、前記垂直基準体は仮想鉛直面に対して平行（Ｘ方向）及び垂直（Ｙ方向）に直動する往復台が取り付けられ、往復台に垂直に立設された柱に沿って回転することなく上下に直動し適正な位置で停止することのできる上下スライダーと、仮想鉛直面に対して常に平行を保つ二つの基準縁とからなり、前記二つの基準縁は上下スライダーと一本の軸で接続され３６０°自由に回転して、鋭角になっている一対の基準縁をスコアラインの中に係合させることにより、グリップの目印を体の真正面にして構えた時にフェースが体の真横を向くようグリップを装着できることを特徴とするグリップ装着位置案内装置。
【請求項２】
前記垂直基準体の二つの基準縁が回転することによって描く二つの円面は仮想鉛直面に対して共に平行となり、二つの基準縁の一方は鋭角になっており、他方は台形となっており、台形になっている基準縁は鋭角になっている基準縁より低くなっており、さらに二つの基準縁はＶ型の凹部（Ｖ溝）を隔てて平行に並んでおり、さらに、基準縁に対して垂直にコの字型の溝が設けられており、Ｖ溝と台形をしている基準縁とをブレードとフェースまたはソールとフェースに接触させることによりほとんどすべてのゴルフクラブのグリップの目印を体の真正面にして構えた時にフェースが体の真横を向くようグリップを装着できることを特徴とする請求項１記載のグリップ装着位置案内装置。
【請求項３】
基準面を有する基台と、前記基台の上面にゴルフクラブのシャフトを支持するためのＶ型の凹部を持つ支持台と、シャフトががたつくことなく回転することも、固定することもできるクランパーと、支持台のＶ型の凹部の中心とシャフトの中心線を含む基台との仮想鉛直面とグリップの目印とが合致しているかを検査するためにクランパーに併設された上部目印と、リーディングエッジが仮想鉛直面に対して平行になる位置を検出するための垂直基準体とからなり、前記垂直基準体は仮想鉛直面に対して平行（Ｘ方向）及び垂直（Ｙ方向）に直動する往復台が取り付けられ、往復台に垂直に立設された柱に沿って回転することなく上下に直動し適正な位置で停止することのできる上下スライダーと、仮想鉛直面に対して常に平行を保つ二つの基準縁とからなり、前記二つの基準縁は上下スライダーと一本の軸で接続され３６０°自由に回転して、鋭角になっている一対の基準縁をスコアラインの中に係合させることにより、グリップの目印を体の真正面にして構えた時にフェースが体の真横を向くようグリップが装着されているかを検査できることを特徴とするグリップ装着位置検査装置。
【請求項４】
前記垂直基準体の二つの基準縁が回転することによって描く二つの円面は仮想鉛直面に対して共に平行となり、二つの基準縁の一方は鋭角になっており、他方は台形となっており、台形になっている基準縁は鋭角になっている基準縁より低くなっており、さらに二つの基準縁はＶ型の凹部（Ｖ溝）を隔てて平行に並んでおり、さらに、基準縁に対して垂直にコの字型の溝が設けられており、Ｖ溝と台形をしている基準縁とをブレードとフェースまたはソールとフェースに接触させることによりほとんどすべてのゴルフクラブのグリップの目印を体の真正面にして構えた時にフェースが体の真横を向くようグリップが装着されているかを検査できることを特徴とする請求項３記載のグリップ装着位置検査装置。
【発明の詳細な説明】
【技術分野】
【０００１】
本発明は、グリップの目印を体の真正面にして構えた時にフェースが体の真横を向くようグリップを装着することができるグリップ装着位置案内装置、及び、グリップの目印を体の真正面にして構えた時にフェースが体の真横を向くようグリップが装着されているかを検査することができるグリップ装着位置検査装置に関するものである。
【背景技術】
【０００２】
ゴルフショップや修理店でグリップの交換をする場合、グリップの目印を体の真正面にして構えた時にフェースが体の真横を向くようグリップを装着したいが、今までは勘に頼って位置を決めるか、図１１で示しているように定盤４４の上に支持台４５と直角定規４７を置き、支持台４５の上にシャフト３を置き、フェース７の最下点の角の部分であり、フェース７の向きの基準となるリーディングエッジ６に直角定規４７を当てて、リーディングエッジ６が定盤４４とほぼ垂直であると思われる位置でシャフト３を固定し、グリップ４の目印５が真上に来るように装着していた。
【先行技術文献】
【特許文献】
【０００３】
【特許文献１】特開２００５−３０４６７９    上記特許は、ゴルファーの体躯や筋力は千差万別なので、自分に合ったゴルフクラブを選択するために、個々のゴルフクラブごとのスイングバランスの値を数値化することにより、異なる番手のゴルフクラブであっても、同じような感覚でスイングができるようになることを目的としていた。しかし、どんなに自分の体躯や筋力に合ったゴルフクラブを用いても、ボールを狙った方向に打てないのでは意味がなく、又上記特許ではゴルフクラブの最適化を図るためにグリップを短くカットすることにより軽量化を図ることについても述べていた。
【０００４】
【特許文献２】特開２００１−１２９１２８上記特許は、ソールの凸形状の曲面に影響されることなく、ライ角およびロフト角、フェイスプログレッションと、ソール角、リーディングエッジ、ソールインバージョンを正確に測定するための装置である。しかし、どんなに正確に測定してもこの装置ではグリップの目印を体の真正面にして構えた時にフェースが体の真横を向くようグリップが装着されているかを検査することはできないし、そのような位置にグリップを装着するためのガイド機構が設けられているわけでもない。
【０００５】
本発明は、グリップの目印を体の真正面に向けて構えた時にフェースが体の真横を向くようにするものであり、それによってボールをコントロールしやすくしてゴルファーの願いであるスコアーの向上を図るという目的を達成するものである。
【発明の概要】
【発明が解決しようとする課題】
【０００６】
ゴルフショップや修理店でグリップの交換をする場合、上記のような方法でグリップを装着していたので、直角定規を用いてもリーディングエッジを定盤に対して垂直にすることが困難だった。なぜなら、フェースにはライ角とロフト角があるので、定盤に置いた直角定規をフェースに当ててもリーディングエッジは定盤に対して垂直にはならないからである。
【０００７】
また、図１１で示しているように、リーディングエッジ６に直角定規４７を当てても、フェース７にはロフト角があり、ソール９が緩やかな凸状に湾曲しているためにリーディングエッジ６も緩やかな凸状に湾曲しており、直角定規４７の一点だけがリーディングエッジ６に接触するだけなので、リーディングエッジ６が仮想鉛直面４８に対して平行、つまり定盤４４に対して垂直になるよう支持台４５に固定することができなかった。
【０００８】
その結果、グリップ４の目印５を体の真正面にして構えた時にフェース７が体の真横を向くようグリップ４を装着することが困難だったし、本当にグリップ４がそうなっているかを検査することもできなかった。
【０００９】
本発明は以上のような従来の欠点に鑑み、ウッドクラブやアイアンクラブ、パタークラブなどほとんどすべてのゴルフクラブのリーディングエッジ６を定盤に対して垂直になるようクランパー１８で支持台１７に固定することである。それは同時にリーディングエッジ６が仮想鉛直面４８に対して平行になることでもあり、そうすることによって初めて次の目的を達成することが可能になる。
【００１０】
第一に、グリップ４の目印５を体の真正面にして構えた時にフェース７が体の真横を向くようグリップ４を装着することである。第二に、グリップ４の目印５を体の真正面にして構えた時にフェース７が体の真横を向くようグリップ４が装着されているかを検査することである。      
【００１１】
本発明の前記ならびにそのほかの目的と新規な特徴は次の説明を添付図面と照らし合わせて読むと、より完全に明らかになるであろう。ただし、図面はもっぱら解説のものであって、本発明の記述的範囲を限定するものではない。
【課題を解決するための手段】
【００１２】
第１の発明は、基準面を有する基台と、前記基台の上面にゴルフクラブのシャフトを支持するためのＶ型の凹部を持つ支持台と、シャフトががたつくことなく回転することも、固定することもできるクランパーと、支持台のＶ型の凹部の中心とシャフトの中心線を含む基台との仮想鉛直面とグリップの目印とが合致する位置にグリップをシャフトに装着するよう案内するためにクランパーに併設された上部目印と、リーディングエッジが仮想鉛直面に対して平行になる位置を検出するための垂直基準体とからなり、前記垂直基準体は仮想鉛直面に対して平行（Ｘ方向）及び垂直（Ｙ方向）に直動する往復台が取り付けられ、往復台に垂直に立設された柱に沿って回転することなく上下に直動し適正な位置で停止することのできる上下スライダーと、仮想鉛直面に対して常に平行を保つ二つの基準縁とからなり、前記二つの基準縁は上下スライダーと一本の軸で接続され３６０°自由に回転して、鋭角になっている一対の基準縁をスコアラインの中に係合させることにより、グリップの目印を体の真正面にして構えた時にフェースが体の真横を向くようグリップを装着できることを特徴とする。
【００１３】
第２の発明は、前記垂直基準体の二つの基準縁が回転することによって描く二つの円面は仮想鉛直面に対して共に平行となり、二つの基準縁の一方は鋭角になっており、他方は台形となっており、台形になっている基準縁は鋭角になっている基準縁より低くなっており、さらに二つの基準縁はＶ型の凹部（Ｖ溝）を隔てて平行に並んでおり、さらに、基準縁に対して垂直にコの字型の溝が設けられており、Ｖ溝と台形をしている基準縁とをブレードとフェースまたはソールとフェースに接触させることによりほとんどすべてのゴルフクラブのグリップの目印を体の真正面にして構えた時にフェースが体の真横を向くようグリップを装着できることを特徴とする。
【００１４】
第３の発明において、基準面を有する基台と、前記基台の上面にゴルフクラブのシャフトを支持するためのＶ型の凹部を持つ支持台と、シャフトががたつくことなく回転することも、固定することもできるクランパーと、支持台のＶ型の凹部の中心とシャフトの中心線を含む基台との仮想鉛直面とグリップの目印とが合致しているかを検査するためにクランパーに併設された上部目印と、リーディングエッジが仮想鉛直面に対して平行になる位置を検出するための垂直基準体とからなり、前記垂直基準体は仮想鉛直面に対して平行（Ｘ方向）及び垂直（Ｙ方向）に直動する往復台が取り付けられ、往復台に垂直に立設された柱に沿って回転することなく上下に直動し適正な位置で停止することのできる上下スライダーと、仮想鉛直面に対して常に平行を保つ二つの基準縁とからなり、前記二つの基準縁は上下スライダーと一本の軸で接続され３６０°自由に回転して、鋭角になっている一対の基準縁をスコアラインの中に係合させることにより、グリップの目印を体の真正面にして構えた時にフェースが体の真横を向くようグリップが装着されているかを検査できることを特徴とする。
【００１５】
第４の発明において、前記垂直基準体の二つの基準縁が回転することによって描く二つの円面は仮想鉛直面に対して共に平行となり、二つの基準縁の一方は鋭角になっており、他方は台形となっており、台形になっている基準縁は鋭角になっている基準縁より低くなっており、さらに二つの基準縁はＶ型の凹部（Ｖ溝）を隔てて平行に並んでおり、さらに、基準縁に対して垂直にコの字型の溝が設けられており、Ｖ溝と台形をしている基準縁とをブレードとフェースまたはソールとフェースに接触させることによりほとんどすべてのゴルフクラブのグリップの目印を体の真正面にして構えた時にフェースが体の真横を向くようグリップが装着されているかを検査できることを特徴とする。
【発明の効果】
【００１６】
本発明は、第一に、グリップの目印を体の真正面にして構えた時にフェースが体の真横を向くようグリップを装着することができる。第二に、グリップの目印を体の真正面にして構えた時にフェースが体の真横を向くようグリップが装着されているかを検査することができる。
【図面の簡単な説明】
【００１７】
【図１】ゴルフクラブを手に持ってかまえた時の平面図である。
【図２】ヘッドの正面図である。
【図３】ヘッドの各部名称の斜め上方からの図である。
【図４】グリップ装着位置案内・検査装置の平面図である。
【図５】グリップ装着位置案内・検査装置の正面図である。
【図６】垂直基準体の立体図である。
【図７】仮定して説明するためにロフト角（ｂ°）に切削加工した円柱の立体図である。
【図８】図７を用いてリーディング鋭角になっている基準縁が定盤に対して垂直になった状態を示す正面図である。
【図９】図７を用いてリーディングエッジが定盤に対して垂直になった状態を示す側面側ななめ上方からの図である。
【図１０】図７を用いてリーディングエッジが定盤に対して垂直になった状態を示す側面図である。
【図１１】リーディングエッジが定盤に対して垂直になった状態を示す側面図である。
【発明を実施するための形態】
【００１８】
以下、図面に示す発明を実施するための最良の形態により、本発明を詳細に説明する。
【００１９】
本発明は、基準面を有する基台１５と、前記基台１５の上面にゴルフクラブのシャフト３を支持するためのＶ型の凹部（Ｖ溝）を持つ二つの支持台１７と、シャフト３ががたつくことなく回転することも、固定することもできる二つのクランパー１８と、二つの支持台１７のＶ型の凹部（以下、Ｖ溝）の中心を結ぶ直線が含まれる基台１５に対して垂直な仮想鉛直面４８とグリップ４の目印５とが合致する位置にグリップ４をシャフト３に装着するよう案内するため、及び仮想鉛直面４８とグリップ４の目印５とが合致しているかを検査するために片方のクランパー１８に併設された上部目印２０と、リーディングエッジ６が仮想鉛直面４８に対して平行になる位置を検出するための垂直基準体２７から構成されており、図４、図５を用いて支持台１７とクランパー１８と上部目印２０の形態を以下に説明する。
【００２０】
前記基台１５は長方形であり、基台１５の上面に共にゴルフクラブのシャフト３を支持するためのＶ溝が入っている二つの支持台１７が、Ｖ溝の各中心を結ぶ直線を含む仮想鉛直面４８が基台１５の長い辺に対して平行であり、短い辺の中心になるよう配置されている。
【００２１】
また、片方の支持台１７（ヘッド側）は基台に固定されており、もう一方の支持台１７（グリップ側）は仮想鉛直面４８に沿って可動し、併設されている上部目印２０がゴルフクラブのグリップ４の目印５に隣接するような位置にシャフト３を乗せることができるようになっている。このＶ溝にシャフト３を乗せることによりシャフト３の中心線ｃｄも仮想鉛直面４８に含まれる。
【００２２】
前期二つのクランパー１８は二つの支持台１７に取り付けられた二本のクランパー固定用柱１６に共にクランパー１８の押さえ部１９の中心が仮想鉛直面４８と一致するように取り付けられており、押さえ部１９が上下に可動しゴルフクラブのシャフト３が、がたつくことなく回転するようにも、固定するようにも保持することができる。
【００２３】
前記上部目印２０は、片方のクランパー１８（グリップ側）の押さえ部１９に併設されており、上部目印２０には仮想鉛直面４８上に設けられた一本の溝線が上方に入っている。この上部目印２０に設けられた一本の溝線とグリップ４の目印５とが一本の線となるようグリップ４を装着することにより、グリップ４の目印５を体の真正面にして構えた時にフェース７が体の真横を向くようグリップ４を装着することができるのである。
【００２４】
また、上部目印２０に設けられた一本の溝線とグリップ４の目印５とが一本の線になっているか、また、一本の線にならずどれほどずれているかにより、グリップ４の目印を体の真正面にして構えた時にフェース７が体の真横を向くようグリップ４が装着されているかを検査することができるのである。
【００２５】
以下、『グリップ４の目印５を体の真正面にして構えた時にフェース７が体の真横を向くようにグリップ４が装着されている』状態を『グリップが正しい位置に装着されている』状態と省略して説明する。
【００２６】
また、上部目印２０にはグリップ側のクランパー１８に併設されたレーザー光線照射器５０により仮想鉛直面４８に添って照射されるレーザー光線によって指し示される一本線も含まれる。このレーザー光線とグリップ４の目印５とが合致するようグリップ４を装着することにより、グリップを正しい位置に装着することができる。
【００２７】
また、レーザー光線によって指し示される一本線とグリップ４の目印５とが合致しているか、どれほどずれているかにより、グリップが正しい位置に装着されているかを検査することができるのである。
【００２８】
前記、垂直基準体の形態を図４、図５、図６を用いて以下に説明する。
【００２９】
垂直基準体２７は往復台２５に垂直に立設された柱２６に沿って、回転することなく上下に直動し適正な位置で停止することのできる上下スライダー３０に取り付けられている。
【００３０】
上記、往復台２５は長方形をしているフレーム２１の内側を移動するようになっており、フレーム２１は一辺が支持台１７に隣接しフレーム２１の内側がヘッド２の下になるよう基台１５の片端の上面に取り付けられている。
【００３１】
また、フレーム２１の内側に仮想鉛直面４８と平行な方向（Ｘ方向）に一対のレール２２が取り付けられ、上記レール２２に沿って一対のスライダー２４が直動し、任意の場所で停止できる。
【００３２】
また、上記スライダー２４に直交する方向（Ｙ方向）に二本のレール２３が取り付けられ、この二本のレール２３に沿ってＹ方向に直動する往復台２５は仮想鉛直面４８に対して垂直に直動し、任意の場所で停止できる。
【００３３】
垂直基準体２７は、往復台２５に垂直に立設されている柱２６に沿って回転することなく上下に直動し適正な位置で停止することのできる上下スライダー３０と一本の軸で接続されており、中心線ｅｆを中心に３６０°自由に回転することができる。
【００３４】
また、垂直基準体２７は仮想鉛直面４８に対して常に平行を保つ二つの基準縁（３２・３４）を持ち、二つの基準縁（３２・３４）が回転することによって描かれる二つの円面はそれぞれが仮想鉛直面４８と常に平行を保ちながら、スライダー２４と往復台２５と上下スライダー３０によってＸ方向とＹ方向と上下方向に自由に移動し適正な位置で停止することができる。
【００３５】
また、二つの基準縁の一方は鋭角になっている基準縁３２（以下、鋭角基準縁３２）であり、どれか一本のスコアライン８に係合させることによりリーディングエッジ６が仮想鉛直面４８に対して平行になる位置にゴルフクラブをクランパー１８で支持台１７に固定することができる。
【００３６】
このとき、上部目印２０に設けられた一本の溝線とグリップ４の目印５とが一本の線となるようグリップ４を装着するか、また、レーザー光線によって指し示される一本線とグリップ４の目印５とが合致するようグリップ４を装着することにより、グリップを正しい位置に装着することができる。
【００３７】
また上部目印２０に設けられた一本の溝線とグリップ４の目印５とが一本の線になっているか、また一本の線になっておらずどれほどずれているか、またレーザー光線によって指し示される一本線とグリップ４の目印５とが合致しているか、またどれほどずれているかによってグリップ４が正しい位置に装着されているかを検査することができる。
【００３８】
他方の基準縁は台形になっている基準縁３４（以下、台形基準縁３４）であり、鋭角になっている基準縁３２より低くなっている。また、鋭角基準縁３２と台形基準縁３４はＶ溝３３を隔てて平行に並んでおり、さらに、中央部に基準縁に対して垂直にコの字型の溝が設けられており、鋭角基準縁３２と台形基準縁３４は共に中心指示線３５を中心に対称になっている。
【００３９】
この先端形状ゆえに、ウッドクラブのようにフェース７の頂点を中心に上下方向と横方向共に緩い凸状に湾曲していても、フェース７の中心と垂直基準体２７に設けられた中心指示線３５とを一致させるかぎり鋭角基準縁３２の両端の内側がスコアライン８に係合するので、正確にリーディングエッジ６が仮想鉛直面４８に対して平行になる位置にゴルフクラブをクランパー１８で支持台１７に固定することができる。そのようにして、グリップを正しい位置に装着することも、正しい位置に装着されているかを検査することもできる。
【００４０】
また、スコアライン８の入っていないパタークラブの場合でも、フェース７の中心と垂直基準体２７に設けられた中心指示線３５とを一致させてからＶ溝３３をブレード１０にあてがい台形基準縁３４をフェース７に接触させることにより、リーディングエッジ６が仮想鉛直面４８に対して平行になる位置にゴルフクラブをクランパー１８で支持台１７に固定することができる。そのようにして、グリップ４を正しい位置に装着することも、正しい位置に装着されているかを検査することもできる。
【００４１】
また、ネック１１が障害となりＶ溝３３をブレード１０にあてがうことができないパタークラブの場合でも、フェース７の中心と垂直基準体２７に設けられた中心指示線３５とを一致させてからＶ溝３３をソール９にあてがい台形基準縁３４をフェース７に接触させることにより、リーディングエッジ６が仮想鉛直面４８に対して平行になる位置にゴルフクラブをクランパー１８で支持台１７に固定することができる。そのようにして、グリップ４を正しい位置に装着することも、正しい位置に装着されているかを検査することもできる。
【００４２】
スコアライン８の入っていないアイアンクラブの場合でも、フェース７の中心と垂直基準体２７に設けられた中心指示線３５とを一致させてからＶ溝３３をソール９にあてがい台形基準縁３４をフェース７に接触させることにより、リーディングエッジ６が仮想鉛直面４８に対して平行になる位置にゴルフクラブをクランパー１８で支持台１７に固定することができる。そのようにして、グリップ４を正しい位置に装着することも、正しい位置に装着されているかを検査することもできる。
【００４３】
ただし、図４と図５では右用のアイアンクラブの場合を示しており、この場合、仮想鉛直面４８をＹ方向において０とするとき、垂直基準体２７の二つの基準縁（３２・３４）は、Ｙ方向の−（マイナス）側から０に向いている。しかし、上下スライダー３０を１８０°回転させることができ、Ｙ方向の＋（プラス）側から０に向けることにより左用のゴルフクラブに対応することができる。
【００４４】
左用のゴルフクラブの場合は、上記で説明したように、上下スライダー３０を１８０°回転させてから固定し、その後、右用のゴルフクラブの種類に応じて操作したのと同様の手順で、リーディングエッジ６が仮想鉛直面４８に対して平行になる位置にゴルフクラブをクランパー１８で支持台１７に固定することにより、グリップ４を正しい位置に装着することも、正しい位置に装着されているかを検査することもできる。
【００４５】
次に、なぜリーディングエッジ６が仮想鉛直面４８に対して平行になる位置にゴルフクラブをクランパー１８で支持台１７に固定したとき、グリップ４の目印５が真上に来ているなら、グリップ４が正しい位置に装着されていることになるのか以下で説明する。
【００４６】
図１で示しているように、ボール１２を打ったときのボール１２の進行方向はフェース７に対して垂直になり、フェース７の最下点の角の部分であり、フェース７の向きの基準となるリーディングエッジ６に対しても垂直になる。このときシャフト３の中心線ｃｄもボール１２に対して垂直になるので、図１１で示しているように定盤４４に支持台４５を置きその上にシャフト３の中心線ｃｄを含む仮想鉛直面４８が定盤４４と垂直になるようにグリップ４の目印５を真上にして乗せる。
【００４７】
このときにボール１２の進行方向が定盤４４と平行になるのは、リーディングエッジ６が仮想鉛直面４８に対して平行になる時だけなので、リーディングエッジ６が仮想鉛直面４８に対して平行となる位置にゴルフクラブを支持台４５に固定したときにグリップ４の目印５が真上に来ているなら、グリップ４は正しい位置に装着されていることになる。      
【００４８】
なお、上下スライダー３０が回転してはならない理由は、発明が解決しようとする課題でも述べたように、直角定規４７を用いてリーディングエッジ６が仮想鉛直面４８に対して平行となる位置に支持台４５に固定するため直角定規４７に必要とされる条件は、仮想鉛直面４８に対して平行な鉛直面を持つ直角定規４７でなければならないということである。同様に、垂直基準体２７の二つの基準縁（３２・３４）も仮想鉛直面４８に対して常に平行でなければならないからである。
【００４９】
本発明は直角定規４７の代わりとなるものとして垂直基準体２７を考案し、まず垂直基準体２７の二つの基準縁（３２・３４）がフェース７に接触するときには常に仮想鉛直面４８と平行となるよう往復台２５と上下スライダー３０が移動するのである。
【００５０】
次に、スコアライン８の中に鋭角になっている基準縁３２を係合させるだけで、リーディングエッジ６が仮想鉛直面４８に対して平行になるのかをアイアンクラブを例に図７、図８、図９、図１０を用いて以下で説明する。
【００５１】
フェース７がボール１２に対して垂直にあたった場合のボール１２の軌跡を円柱と仮定すると、円柱４０の一方を図７で示しているように、円柱４０の上面を測定しようとするゴルフクラブのロフト角と同じ角度ｂ°に切削加工する。
【００５２】
次に、ゴルフクラブのシャフト３の中心線ｃｄが定盤４４と平行になるように支持台４５に乗せて、定盤４４に対してリーディングエッジ６が垂直になるように固定する。それから、円柱４０の上面４１をシャフト３の中心線ｃｄに対して平行にして、円柱４０の加工面４２をフェース７に密着させる。
【００５３】
このとき円柱４０がリーディングエッジ６に対して垂直になるときは、円柱４０の点ｖと点ｗを結ぶ直線がリーディングエッジ６に対して平行になった時だけであるということが分かる。逆に考えれば円柱４０をシャフト３の中心線ｃｄに対して垂直になるように、点ｖと点ｗを結ぶ直線をシャフト３の中心線ｃｄに対してライ角分つまりａ°傾けることにより、点ｖと点ｗを結ぶ直線をリーディングエッジ６と平行にしてから、定盤４４に乗せられた定規４６に固定し、その後ヘッド２を回転させて、固定した円柱４０にフェース７を密着させることにより、リーディングエッジ６は仮想鉛直面４８に対して平行になる。
【００５４】
しかし、この方法では、測定しようとするゴルフクラブのライ角とロフト角を正確に測定してから、円柱４０を切削加工してそれをフェース７に接触させなければならない。しかし、本発明は、垂直基準体２７を図６で示している形状にすることによって簡単に、リーディングエッジ６が仮想鉛直面４８に対して平行となる位置にゴルフクラブを支持台４５に固定することが出来る。
【００５５】
上記理由を、図６と図８を用いて以下で説明する。図８で示しているように、円柱４０とフェース７との接触部分を円柱４０の加工面４２で接触させるのではなく、点ｖと点ｗを結ぶ直線だけでフェース７と接触させることにより、測定しようとするゴルフクラブのロフト角に関係なく垂直基準体２７の二つの基準縁（３２・３４）を仮想鉛直面４８に対して平行に接触させることが可能になる。
【００５６】
なぜなら、ロフト角の役割はボール１２を低く飛ばすか、高く飛ばすかであって、ボール１２の進行方向はフェース７と垂直、つまりリーディングエッジ６に対して垂直に進むのであり、この場合はロフト角を考慮に入れる必要はないのである。必要なのは仮想鉛直面４８に対して二つの基準縁（３２・３４）が平行であること。もう一つは、二つの基準縁（３２・３４）をライ角分つまりａ°傾けたままフェース７に接触させることなのである。
【００５７】
しかし、リーディングエッジ６は緩い凸状に湾曲しており、目視によって鋭角基準縁３２をリーディングエッジ６と平行を保ったままフェース７に接触させることは不可能である。しかし、本発明は垂直基準体２７の二つの基準縁（３２・３４）が仮想鉛直面４８に対して平行を保ったまま自由に回転できるようにすることによって解決したのである。
【００５８】
スコアライン８はリーディングエッジ６と平行に加工されているため、垂直基準体２７が自由に回転するのでリーディングエッジ６に平行に加工されたスコアライン８の中に鋭角基準縁３２を係合させることができ、結果として鋭角基準縁３２はライ角分傾いてフェース７に接触することになり、リーディングエッジ６は仮想鉛直面４８に対して平行になる。
【００５９】
このように、本発明は鋭角基準縁３２をスコアライン８の中に係合させるという簡単な操作で、正確にリーディングエッジ６が仮想鉛直面４８に対して平行になる位置にゴルフクラブをクランパー１８で支持台４５に固定することが可能になり、グリップ４の目印５が真上にきているかどうかによって、グリップ４を正しい位置に装着することも、正しい位置に装着されているかを検査することもできる。
【００６０】
さらに、本発明の利点は図６で示しているように、垂直基準体２７の二つの基準縁３１が自由に回転するので、シャフト３の基台１５に対する上下方向による傾きのための角度の変化に影響されないということである。
【００６１】
計算式を用いて以下で説明する。基台１５に対するスコアライン８の角度は以下の計算式となる。（基台１５に対するスコアライン８の角度）＝（ライ角）＋（基台１５に対するシャフト３の中心線ｃｄの勾配）つまり、基台１５に対してシャフト３の中心線ｃｄが平行である場合は、基台１５に対するスコアライン８の角度はライ角と同一となるが、基台１５に対してシャフト３の中心線ｃｄに勾配がある場合は基台１５に対するスコアライン８の角度が何度になるか測定して計算しなければ算出できない。
【００６２】
しかし、本発明は垂直基準体２７の二つの基準縁（３２・３４）が自由に回転するので、シャフト３の中心線ｃｄが基台１５とどれほどの勾配があったとしてもスコアライン８に鋭角基準縁３２を係合させるだけで正確にリーディングエッジ６を仮想鉛直面４８に対して平行となる位置にゴルフクラブをクランパー１８で支持台１７に固定することが可能になるのである。
【００６３】
ゴルフクラブのシャフト３はグリップ４に近づくにつれて太くなるので、二つの支持台１７の上にシャフト３を乗せたときに、シャフト３の中心線ｃｄを基台１５と平行にすることは困難である。
【００６４】
しかし、二つの基準縁（３２・３４）が仮想鉛直面４８に対して平行である限り、測定しようとするシャフト３の太さに応じて二つの支持台１７の高さを変える必要など全くなく、本発明はどんなゴルフクラブであってもリーディングエッジ６を仮想鉛直面４８に対して平行となる位置にゴルフクラブをクランパー１８で支持台１７に固定して、グリップ４を正しい位置に装着することも、正しい位置に装着されているかを検査することもできる。
【００６５】
以下、上記構成の動作を、アイアンクラブを例に説明する。
【００６６】
基台１５に固定された支持台１７のＶ溝と仮想鉛直面４８に沿って移動するグリップ側の支持台１７のＶ溝に、ゴルフクラブのヘッド２が長方形をしたフレーム２１の内側に来るようゴルフクラブのシャフト３を乗せる。
【００６７】
次に、グリップ側の支持台１７をクランパー１８に併設されている上部目印２０がゴルフクラブのグリップ４の目印５に隣接するような位置になるよう移動させてから基台１５に固定する。
【００６８】
次に、シャフト３を回転させてリーディングエッジ６を基台１５とほぼ垂直になるような位置にしてから、二つのクランパー１８でヘッド２がぐらつくことなく回転できるように力を加減して押さえる。
【００６９】
次に、往復台２５をＸ方向とＹ方向に動かし、上下スライダー３０を上下に移動させて、垂直基準体２７の鋭角基準縁３２下側のかど、もしくは上側のかどをフェース７に加工されたどれか一本のスコアライン８の中に接触させ、ヘッド２を回転させると同時に垂直基準体２７をＸ方向とＹ方向に動かしつつ垂直基準体２７を回転させて、鋭角基準縁３２を一本のスコアライン８の中に係合させる。
【００７０】
その後、二つの支持台１７に乗せてあるシャフト３を両方のクランパー１８で回転しないように押さえてゴルフクラブを固定させてから、クランパー１８に取り付けられた上部目印２０とグリップ４の目印５とが一本の線になるようグリップ４を装着する。
【００７１】
なおレーザー光線による目印の場合は、レーザー光線による一本線とグリップ４の目印５とが合致するようにグリップ４を装着することにより、正しい位置にグリップ４を装着できる。
【００７２】
グリップ４が正しく装着されているかを検査する場合は、上部目印２０の中心とグリップ４の目印５とが一本の線になっているかを基準にグリップ４が正しい位置に装着されているかを検査する。
【００７３】
なお、レーザー光線による目印の場合もグリップ４の目印５とレーザー光線によって指し示される一本線とが合致しているか、どれほどずれているかを基準にグリップ４が正しい位置に装着されているかを検査する。
【００７４】
なお、上部目印２０は一本の溝線になっているので、本装置の使用者が依頼者の求めに応じて許容範囲を設定することができるようになっている。レーザー光線による目印の場合も一本線となっているので、本装置の使用者が依頼者の求めに応じて許容範囲を設定することができる。
【００７５】
ウッドクラブの場合は鋭角基準縁３２が係合できるだけの長さを持つどれか一本もしくは一対になっているスコアライン８に鋭角基準縁３２を係合させる。このときフェース７の中心と垂直基準体２７に設けられた中心指示線３５とを一致させるようにして上下スライダー３０の高さを調整しながら鋭角基準縁３２を係合させる。その後前記同様の手順によって、グリップ４を正しい位置に装着することも、正しい位置に装着されているかを検査することもできる。
【００７６】
スコアライン８もしくはスコアライン８と平行な線がフェース７に加工されているパタークラブの場合は、アイアンクラブの操作に準じた手順によって、グリップ４を正しい位置に装着することも、正しい位置に装着されているかを検査することもできる。
【００７７】
スコアライン８もしくはスコアライン８と平行な線がフェース７に加工されていないパタークラブの場合は、フェース７の中心と垂直基準体２７に設けられた中心指示線３５とを一致させてから、ブレード１０にＶ溝３３をあてがいフェース７に台形基準縁３４を接触させる。その後は前記同様の手順によって、グリップ４を正しい位置に装着することも、正しい位置に装着されているかを検査することもできる。
【００７８】
しかし、ネック１１が邪魔になりブレード１０にＶ溝をあてがうのが不可能なパタークラブの場合は、フェース７の中心と垂直基準体２７に設けられた中心指示線３５とを一致させてから、ソール９にＶ溝３３をあてがいフェース７に台形基準縁３４を接触させる。その後は、前記同様の手順によってグリップ４を正しい位置に装着することも、正しい位置に装着されているかを検査することもできる。
【００７９】
スコアライン８が入っていないアイアンクラブの場合は、フェース７の中心と垂直基準体２７に設けられた中心指示線３５とを一致させてから、ソール９にＶ溝３３をあてがいフェース７に台形基準縁３４を接触させる。その後は、前記同様の手順によってグリップ４を正しい位置に装着することも、正しい位置に装着されているかを検査することもできる。
【００８０】
左用のゴルフクラブの場合は、上下スライダー３０を１８０°回転させてから固定することにより、仮想鉛直面４８をＹ方向において０とするとき、垂直基準体２７の基準縁３２は、Ｙ方向の−（マイナス）側から０に向いているが、上下スライダー３０を１８０°回転させることにより、Ｙ方向の＋（プラス）側から０に向くようになる。その後、ゴルフクラブの種類に応じて前記の手順に従い操作することにより、グリップ４を正しい位置に装着することも、正しい位置に装着されているかを検査することもできる。
【符号の説明】
【００８１】
３  シャフト
４  グリップ
５  目印（シャフトの目印）
６  リーディングエッジ
７  フェース
８  スコアライン
９  ソール
１０  ブレード
１５  基台  
１７  支持台
１８  クランパー
２０  上部目印
２５  往復台
２６  柱
２７  垂直基準体
３０  上下スライダー
３２  鋭角になっている基準縁（鋭角基準縁）
３３  Ｖ溝
３４  台形になっている基準縁（台形基準縁）
４８  仮想鉛直面
【図１】
2011182856.tif 000003
【図２】
2011182856.tif 000004
【図３】
2011182856.tif 000005
【図４】
2011182856.tif 000006
【図５】
2011182856.tif 000007
【図６】
2011182856.tif 000008
【図７】
2011182856.tif 000009
【図８】
2011182856.tif 000010
【図９】
2011182856.tif 000011
【図１０】
2011182856.tif 000012
【図１１】
2011182856.tif 000013
【手続補正書】
【提出日】平成23年6月13日(2011.6.13)
【手続補正１】
【補正対象書類名】明細書
【補正対象項目名】０００３
【補正方法】変更
【補正の内容】
【０００３】
【特許文献１】平３−２６１４９０    上記特許は、ゴルフクラブのヘッド側位置とグリップ側位置およびゴルフクラブの長さを測定できる装置であるが、グリップ側位置を測定するために先端縁をフェースに接触させ、かつスコアーラインと平行になるよう調整する必要があるが、それを目視で行なっていること、さらにヘッドのソールにソール当て板を回転させて接触させるが、ソールは湾曲しているためソール板はソールと一点でしか接触しないため正確さにかける。また、この装置ではアイアンしか測定できず、ウッドやパターを測定することができない。
【手続補正２】
【補正対象書類名】明細書
【補正対象項目名】０００４
【補正方法】変更
【補正の内容】
【０００４】
【特許文献２】特開２００６−２４７１６９上記特許は、グリップの装着位置を定めることができるが、まず測定しようとするゴルフクラブのライ角に合わせてゴルフクラブを装置にセットし、その後、フェース角度調整具の先端部とフェースのスコアーラインが平行になるようゴルフクラブ全体を動かさなければならないので正確さに欠ける。また、この装置では測定可能なゴルフクラブはロフト角が１３〜４１度の範囲に限られておりそれ以外のゴルフクラブは測定できない。